(57)【要約】【課題】消費電力を低減することが可能な液晶表示装置及び液晶表示装置の駆動方法を提供すること。【解決手段】各画素が、バックライトの光を透過して表示するサブ画素と、表示面から入射する光を反射して表示するサブ画素とをそれぞれ有しており、表示領域に所定の画像が反射表示されるように、各サブ画素にそれぞれ所定の画像を構成する固有の表示パターンが形成されているので、反射表示を行う場合には当該画素を駆動しなくても、所定の画素を表示することができる。これにより、消費電力を低減することが可能となる。【選択図】図３
2008180929.tif 000002
【特許請求の範囲】
【請求項１】
一対の基板が液晶層を挟持するように対向配置されてなり、複数の画素が平面視でマトリクス状に配列された表示領域を有し、一方の面が画像を表示する表示面になっている液晶パネルと、
前記液晶パネルの表示面の反対面側に設けられ、前記液晶パネルに光を照射する照明装置と
を備えた液晶表示装置であって、
前記各画素が、前記照明装置の光を透過して表示する第１サブ画素と、前記液晶パネルの表示面から入射する光を反射して表示する第２サブ画素とをそれぞれ有しており、
前記表示領域に所定の画像が反射表示されるように、前記各第２サブ画素にそれぞれ前記所定の画像を構成する固有の表示パターンが形成されている
ことを特徴とする液晶表示装置。
【請求項２】
前記液晶層の光透過率が、前記第１サブ画素と前記第２サブ画素とで独立して制御可能になっている
ことを特徴とする請求項１に記載の液晶表示装置。
【請求項３】
前記照明装置が点灯しているときには前記第２サブ画素が黒表示となるように、前記液晶層の光透過率を制御する制御部が設けられている
ことを特徴とする請求項２に記載の液晶表示装置。
【請求項４】
前記一対の基板のうち一方の基板には、前記第１サブ画素に平面視で重なる領域に所定の材料からなるカラーフィルタ層が設けられていると共に前記第２サブ画素に平面視で重なる領域に前記所定の材料からなる表示パターン層が設けられており、
前記一対の基板のうち他方の基板には、前記第２サブ画素に平面視で重なる領域に光反射層が設けられている
ことを特徴とする請求項１乃至請求項３のうちいずれか一項に記載の液晶表示装置。
【請求項５】
前記各画素が非駆動時において白表示となるように、前記液晶層の光透過率が規制されている
ことを特徴とする請求項１乃至請求項４のうちいずれか一項に記載の液晶表示装置。
【請求項６】
一対の基板が液晶層を挟持するように対向配置されてなり、複数の画素が平面視でマトリクス状に配列された表示領域を有し、一方の面が画像を表示する表示面になっている液晶パネルと、
前記液晶パネルの表示面の反対面側に設けられ、前記液晶パネルに光を照射する照明装置と
を備え、
前記各画素が、前記照明装置の光を透過して表示する第１サブ画素と、前記液晶パネルの表示面から入射する光を反射して表示する第２サブ画素とをそれぞれ有しており、
前記表示領域に所定の画像が反射表示されるように、前記各第２サブ画素にそれぞれ前記所定の画像を構成する固有の表示パターンが形成されている液晶表示装置を駆動する際に、
前記液晶層のうち前記第１サブ画素の光透過率と前記第２サブ画素の光透過率とを独立して制御する
ことを特徴とする液晶表示装置の駆動方法。
【請求項７】
前記液晶層のうち前記第１サブ画素の光透過率を制御する信号と、前記第２サブ画素の光透過率を制御する信号とが、同一の信号である
ことを特徴とする請求項６に記載の液晶表示装置の駆動方法。
【請求項８】
前記第２サブ画素が白表示及び黒表示の２種類の表示状態をとるように前記液晶層の光透過率を制御する
ことを特徴とする請求項６又は請求項７に記載の液晶表示装置の駆動方法。
【発明の詳細な説明】
【技術分野】
【０００１】
本発明は、液晶表示装置及び液晶表示装置の駆動方法に関する。
【背景技術】
【０００２】
特許文献１などに示されるような液晶表示装置は、携帯電話やパーソナルコンピュータなどの電子機器の表示部として広く用いられている。例えば携帯電話の表示部として用いられる場合、待ち受け画面等にメーカーロゴや特定の模様など、多彩な画像が表示される。
【０００３】
近年では、携帯電話、パーソナルコンピュータなどの表示部としていわゆる半透過反射型の液晶表示装置が搭載されていることが多い。半透過反射型の液晶表示装置は、液晶パネルとバックライトとを備えており、液晶パネルに設けられた画素の一部に反射層が形成され、他の部分はバックライトの光を透過するようになっている。
【０００４】
例えばこのような液晶表示装置を駆動する場合、まずバックライトを点灯させて透過表示を行い、一定期間操作が無い場合にはバックライトを消灯し反射表示を行う駆動方法が知られている。この駆動方法によって、液晶表示装置の消費電力を抑えることができるという利点がある。  
【特許文献１】特開平１１−１０１９９２号公報
【発明の開示】
【発明が解決しようとする課題】
【０００５】
しかしながら、特許文献１などに示されるような従来の液晶表示装置においては、待ち受け画面など長時間画像を表示する場合、特定の画素を長時間駆動し続ける必要があるため、その分消費電力が大きくなってしまう。
【０００６】
以上のような事情に鑑み、本発明の目的は、消費電力を低減することが可能な液晶表示装置及び液晶表示装置の駆動方法を提供することにある。
【課題を解決するための手段】
【０００７】
上記目的を達成するため、本発明に係る液晶表示装置は、一対の基板が液晶層を挟持するように対向配置されてなり、複数の画素が平面視でマトリクス状に配列された表示領域を有し、一方の面が画像を表示する表示面になっている液晶パネルと、前記液晶パネルの表示面の反対面側に設けられ、前記液晶パネルに光を照射する照明装置とを備えた液晶表示装置であって、前記各画素が、前記照明装置の光を透過して表示する第１サブ画素と、前記液晶パネルの表示面から入射する光を反射して表示する第２サブ画素とをそれぞれ有しており、前記表示領域に所定の画像が反射表示されるように、前記各第２サブ画素にそれぞれ前記所定の画像を構成する固有の表示パターンが形成されていることを特徴とする。  
本発明によれば、液晶パネルにマトリクス状に配列された各画素が、照明装置の光を透過して表示する第１サブ画素と、液晶パネルの表示面から入射する光を反射して表示する第２サブ画素とをそれぞれ有しており、表示領域に所定の画像が反射表示されるように、各第２サブ画素にそれぞれ所定の画像を構成する固有の表示パターンが形成されているので、反射表示を行う場合には当該画素を駆動しなくても、表示領域に所定の画素を表示することができる。これにより、消費電力を低減することが可能となる。
【０００８】
上記の液晶表示装置は、前記液晶層の光透過率が、前記第１サブ画素と前記第２サブ画素とで独立して制御可能になっていることを特徴とする。  
本発明によれば、液晶層の光透過率が、第１サブ画素と第２サブ画素とで独立して制御可能になっているので、第１サブ画素による透過表示と第２サブ画素による反射表示とを別々に駆動することが可能となる。これにより、例えば第１サブ画素による透過表示モード、第２サブ画素による反射表示モード、第１サブ画素及び第２サブ画素による透過表示と反射表示の組み合わせモードなど、多彩な表示が可能となる。
【０００９】
上記の液晶表示装置は、前記照明装置が点灯しているときには前記第２サブ画素が黒表示となるように、前記液晶層の光透過率を制御する制御部が設けられていることを特徴とする。  
本発明によれば、照明装置が点灯しているときには第２サブ画素が黒表示となるように、液晶層の光透過率を制御する制御部が設けられているので、照明装置が点灯している透過表示の際には第２サブ画素が黒表示となるように表示することができる。これにより、第２サブ画素による所定の画像と透過表示による画像とが混合するのを防ぐことができるので、高い表示特性を得ることが可能となる。
【００１０】
上記の液晶表示装置は、前記一対の基板のうち一方の基板には、前記第１サブ画素に平面視で重なる領域に所定の材料からなるカラーフィルタ層が設けられていると共に前記第２サブ画素に平面視で重なる領域に前記所定の材料からなる表示パターン層が設けられており、前記一対の基板のうち他方の基板には、前記第２サブ画素に平面視で重なる領域に光反射層が設けられていることを特徴とする。  
本発明によれば、一対の基板のうち一方の基板には、第１サブ画素に平面視で重なる領域に所定の材料からなるカラーフィルタ層が設けられていると共に第２サブ画素に平面視で重なる領域にカラーフィルタ層と同一の材料からなる表示パターン層が設けられており、一対の基板のうち他方の基板には、第２サブ画素に平面視で重なる領域に光反射層が設けられていることとしたので、当該一方の基板の形成時にカラーフィルタ層と表示パターン層とを一工程で形成することができる。これにより、製造工程の短縮化を図ることができ、製造コストを抑えることができるので、安価な液晶表示装置を得ることができる。
【００１１】
上記の液晶表示装置は、前記各画素が非駆動時において白表示となるように、前記液晶層の光透過率が規制されていることを特徴とする。  
本発明によれば、各画素が非駆動時において白表示となるように、液晶層の光透過率が規制されている、いわゆるノーマリーホワイトモードになっているため、液晶表示装置の電源オフ時にも第２サブ画素による所定の画像を表示領域に表示させることができる。このように、本発明によって多彩な表示が可能となる。
【００１２】
本発明に係る液晶表示装置の駆動方法は、一対の基板が液晶層を挟持するように対向配置されてなり、複数の画素が平面視でマトリクス状に配列された表示領域を有し、一方の面が画像を表示する表示面になっている液晶パネルと、前記液晶パネルの表示面の反対面側に設けられ、前記液晶パネルに光を照射する照明装置とを備え、前記各画素が、前記照明装置の光を透過して表示する第１サブ画素と、前記液晶パネルの表示面から入射する光を反射して表示する第２サブ画素とをそれぞれ有しており、前記表示領域に所定の画像が反射表示されるように、前記各第２サブ画素にそれぞれ前記所定の画像を構成する固有の表示パターンが形成されている液晶表示装置を駆動する際に、前記液晶層のうち前記第１サブ画素の光透過率と前記第２サブ画素の光透過率とを独立して制御することを特徴とする。  
本発明によれば、一対の基板が液晶層を挟持するように対向配置されてなり、複数の画素が平面視でマトリクス状に配列された表示領域を有し、一方の面が画像を表示する表示面になっている液晶パネルと、液晶パネルの表示面の反対面側に設けられ、液晶パネルに光を照射する照明装置とを備え、各画素が、照明装置の光を透過して表示する第１サブ画素と、液晶パネルの表示面から入射する光を反射して表示する第２サブ画素とをそれぞれ有しており、表示領域に所定の画像が反射表示されるように、各第２サブ画素にそれぞれ所定の画像を構成する固有の表示パターンが形成されている液晶表示装置を駆動する際に、液晶層のうち第１サブ画素の光透過率と第２サブ画素の光透過率とを独立して制御することとしたので、第１サブ画素による透過表示と第２サブ画素による反射表示とを別々に駆動することが可能となる。これにより、例えば第１サブ画素による透過表示モード、第２サブ画素による反射表示モード、第１サブ画素及び第２サブ画素による透過表示と反射表示の組み合わせモードなど、多彩な表示が可能となる。
【００１３】
上記の液晶表示装置の駆動方法は、前記液晶層のうち前記第１サブ画素の光透過率を制御する信号と、前記第２サブ画素の光透過率を制御する信号とが、同一の信号であることを特徴とする。  
本発明によれば、液晶層のうち第１サブ画素の光透過率を制御する信号と、第２サブ画素の光透過率を制御する信号とが、同一の信号であることとしたので、駆動回路を簡素化することができ、その分消費電力を削減することができる。
【００１４】
上記の液晶表示装置の駆動方法は、前記第２サブ画素が白表示及び黒表示の２種類の表示状態をとるように前記液晶層の光透過率を制御することを特徴とする。  
本発明によれば、第２サブ画素が共に白表示及び黒表示の２種類の表示状態をとるように液晶層の光透過率を制御する、いわゆる２値駆動にすることとしたので、駆動回路を簡素化することができ、その分消費電力を削減することができる。
【発明を実施するための最良の形態】
【００１５】
本発明の実施の形態を図面に基き説明する。以下の図では、各部材を認識可能な大きさとするため、縮尺を適宜変更している。  
［第１実施形態］  
本発明の第１実施形態を図面に基づき説明する。以下の図では、各部材を認識可能な大きさとするため、縮尺を適宜変更している。
【００１６】
図１は、液晶表示装置１の全体構成を示す図である。本実施形態では、スイッチング素子に薄膜トランジスタ（Thin Film Transistor、以下ＴＦＴという）素子を用いたアクティブマトリクス方式の半透過反射型液晶表示装置を例に挙げて説明する。  
図１に示すように、液晶表示装置１は、液晶パネル２と、バックライト３と、フレキシブル基板Ｆとを主体として構成されている。液晶パネル２とバックライト３とは平面視で重なるように配置されており、図１では液晶パネル２のみが示されている。フレキシブル基板Ｆには電源回路等が形成されている。
【００１７】
液晶パネル２は、ＴＦＴアレイ基板（第１基板）４とカラーフィルタ基板（第２基板）５とがシール材７によって貼り合わされると共に、このシール材７によって区画された領域内に液晶層６が封入された構成になっている。シール材７の一部には液晶を注入する注入口７ａが設けられている。注入口７ａは封止材７ｂにより封止されている。シール材７の内側の領域には、遮光性材料からなる遮光膜（周辺見切り）８が設けられている。周辺見切り８の内側の領域は、画像や動画等を表示する表示領域９になっている。表示領域９には、複数のサブ画素１０がマトリクス状に設けられている。本実施形態では、図中左右方向に隣接する４つのサブ画素１０が１組になって１つの画素を構成している。サブ画素１０の間の領域は画素間領域１１である。
【００１８】
ＴＦＴアレイ基板４の周縁部は、カラーフィルタ基板５から張り出した張出領域になっている。この張出領域のうち図中左辺側及び右辺側には、走査信号を生成する走査線駆動回路１２が形成されている。図中上辺側には、左右の走査線駆動回路１２の間を接続する配線１４が引き回されている。図中下辺側には、データ信号を生成するデータ線駆動回路１３と、フレキシブル基板Ｆに形成された電源回路等に接続するための接続端子１５とが形成されている。走査線駆動回路１２及びデータ線駆動回路１３は、各サブ画素１０が白表示及び黒表示の２種類の表示をするように、２種類の電圧信号を供給するようになっている。この２種類の電圧信号は、全てのサブ画素１０において同一の信号になっている。走査線駆動回路１２と接続端子１５との間の領域には、両者を接続する配線１６が形成されている。カラーフィルタ基板５の各角部には、ＴＦＴアレイ基板４とカラーフィルタ基板５との間で電気的に接続するための基板間導通材１７が設けられている。
【００１９】
図２は、図１のＡ−Ａ断面に沿った構成を示す図である。  
ＴＦＴアレイ基板４は、例えばガラスや石英等の透光性の高い材料から形成された基材４ａと、この基材４ａの液晶側に形成された画素電極４８と、この画素電極４８に電気信号を供給するスイッチング素子４７と、光反射層４５と、画素電極４８、スイッチング素子４７及びこの光反射層４５を覆うように形成された配向膜４６と、基材４ａの外側（液晶層６とは反対側）に貼付された偏光板４９とを主体として構成されている。
【００２０】
画素電極４８は、サブ画素１０に平面視で重なる領域に配置されており、例えばＩＴＯ（Indium Tin Oxide）等の透明な導電材料によって形成されている。スイッチング素子４７は、画素間領域１１内に配置されており、画素電極４８に一対一で対応するように設けられている。このようにサブ画素１０ごとに独立して液晶層６の配向を規制することが可能になっている。このスイッチング素子４７は、例えば薄膜トランジスタからなる素子であり、図示しない走査線やデータ線に接続されている。配向膜４６は、液晶層６との界面に設けられており、液晶層６を構成する液晶分子の配向を規制する。
【００２１】
光反射層４５は、例えばアルミニウムなどからなる金属層であり、光をカラーフィルタ基板５側へ反射するようになっている。この光反射層４５は、１画素を構成する隣接する４つのサブ画素のうち例えば最右端のサブ画素１０ｂにそれぞれ設けられている。光反射層４５は、画素電極４８の液晶層６側に平面視でサブ画素１０ｂ内のほぼ全面を占める領域に設けられており、当該領域が光反射領域になっている。光反射層４５の表面（液晶層６側の面）が反射面になっている。各光反射層４５の厚さは一定になっている。光反射層４５が設けられないサブ画素１０ａは、バックライト３からの光を透過する透過表示用のサブ画素（第１サブ画素）である。光反射層４５が設けられたサブ画素１０ｂは、カラーフィルタ基板５側からの光を反射して表示する反射表示用のサブ画素（第２サブ画素）である。
【００２２】
一方、カラーフィルタ基板５は、基材５ａと、カラーフィルタ層５０と、パターン層６０と、遮光膜５１と、共通電極５８と、配向膜５６とを主体として構成されている。  
基材５ａは、基材４ａと同様に例えばガラスや石英等の透光性の高い材料から形成された矩形の板状部材である。カラーフィルタ層５０は、基材５ａの液晶層６側に平面視でサブ画素１０に重なるように設けられた色層である。このカラーフィルタ層５０は、例えば有機材料や無機材料など公知の材料からなる赤色層５０Ｒ、緑色層５０Ｇ、青色層５０Ｂの３色の色層からなる。
【００２３】
１画素を構成する４つのサブ画素１０のうち、上述の光反射層４５が設けられないサブ画素１０ａには、赤色、緑色、青色のカラーフィルタ層５０が１色ずつ設けられている。例えば赤色層５０Ｒ、緑色層５０Ｇ、青色層５０Ｂは各々隣接する列に配置されている。上述の光反射層４５が設けられたサブ画素１０ｂにはパターン層６０が配置されている。パターン層６０は、カラーフィルタ層５０と同一層に形成されている。
【００２４】
遮光膜５１は、光を反射又は吸収可能な材料からなる遮光部材であり、当該カラーフィルタ層５０の周囲に設けられている。共通電極５８は、例えばＩＴＯなどの透明な導電材料によって形成された電極であり、カラーフィルタ層５０及び遮光膜５１を覆うように設けられている。この共通電極５８の下層（図中上側）のうち、上記の光反射層４５に平面視で重なる領域には、所定の厚さを有する透明層５８ａが設けられている。透明層５８ａにより、共通電極５８のうち光反射層４５に平面視で重なる領域が、他の領域に比べて液晶層６側に突出している。この結果、光反射層４５の設けられた領域における液晶層６のギャップｔ２が、他の領域における液晶層６のギャップｔ１に比べて小さくなっている。配向膜５６は、液晶層６との界面に設けられており、配向膜４６との間で液晶層６を構成する液晶分子の配向を規制している。
【００２５】
液晶層６は、例えばフッ素系液晶化合物や非フッ素系液晶化合物等の液晶分子によって構成されており、ＴＦＴアレイ基板４側の配向膜４６とカラーフィルタ基板５側の配向膜５６との双方に接するように両基板に挟持されている。液晶分子の配向は、電圧を印加しない非駆動時に光を透過させるように、配向膜４６及び配向膜５６によって規制されている（ノーマリーホワイトモード）。
【００２６】
このように構成された液晶表示装置１のうち、光反射層４５が設けられたサブ画素１０ｂの構成をより具体的に説明する。  
図３は、表示領域９内に設けられたサブ画素１０の配列を示す平面図である。図中破線で囲んだ部分が１画素を示している。
【００２７】
同図に示すように、パターン層６０には、サブ画素１０ｂ内に赤色、緑色、青色、白色の表示パターンが形成されている。この表示パターンのうち赤色部分６０Ｒ、緑色部分６０Ｇ、青色部分６０Ｂは、カラーフィルタ層５０の赤色層５０Ｒ、緑色層５０Ｇ、青色層５０Ｂのそれぞれと同一の材料によって形成されている。色彩パターンのうち白色部分６０Ｗは上記各色層が形成されていない部分である。この表示パターンは、サブ画素１０ｂごとに固有のパターンを有している。図４に示す液晶表示装置１の表示領域９内には、例えば円形、三角形、星型などから所定の画像Ｉが示されている。上記の各サブ画素１０ｂは、このような所定の画像の一部を構成するように固有の表示パターンが形成されている。
【００２８】
次に、上記のように構成された液晶表示装置１の駆動方法を説明する。  
この液晶表示装置１では、サブ画素１０ｂについて、液晶層６を白表示（液晶層６で光を透過させる）及び黒表示（液晶層６で光を透過させない）の２値によって駆動することが可能である。
【００２９】
まず、液晶表示装置１の電源をオフにした状態について説明する。液晶表示装置１の液晶層６は、電源オフの状態で光を透過するいわゆるノーマリーホワイトモードである。電源オフの状態ではバックライト３が消灯しているので、透過表示用のサブ画素１０ａには表示はされないことになる。
【００３０】
一方、反射表示用のサブ画素１０ｂにおいては、液晶パネル２の外部からの光が液晶層６を透過する。この透過光は、光反射層４５で反射され、液晶パネル２の外部に射出される。この過程で、光がカラーフィルタ基板５に設けられたパターン層６０を透過するため、サブ画素１０ｂには各パターン層６０に形成された表示パターンが表示されることになる。したがって、この状態では、図４に示す所定の画像Ｉが反射表示されることになる。
【００３１】
次に、液晶表示装置１の電源をオンにした状態について説明する。液晶表示装置１の電源をオンにした状態では、液晶層６の光透過率をサブ画素１０ａとサブ画素１０ｂとが独立して駆動可能になる。  
バックライト３を消灯させた状態においては、図５（ａ）に示すように、サブ画素１０ａでは光を透過しない。サブ画素１０ｂについては、光を透過させるように液晶層６を駆動することも可能であるし、光を透過させないように液晶層６を駆動することも可能である。光を透過させる場合、電源オフ時と同様、各パターン層６０に形成された表示パターンが表示されることになる。また、光を透過させない場合、図５（ｂ）に示すように、サブ画素１０ａ及びサブ画素１０ｂが共に黒表示となる。これを踏まえて、例えば黒表示を用いて画像を形成するように液晶層６を制御しても構わない。図６に示すように、一部のサブ画素１０ｂを黒表示にすることで、所定の画像Ｉに黒表示による画像Ｊを重ねて表示することも可能である。
【００３２】
また、バックライト３を点灯させた状態においては、サブ画素１０ａ及びサブ画素１０ｂについてそれぞれ光を透過させたり透過させなかったりする駆動が可能である。例えば図７に示すように、サブ画素１０ａにおいて光を透過させると共にサブ画素１０ｂにおいて光を透過させないように駆動する場合には、図８に示すようにサブ画素１０ａのみによって画像Ｋが表示される。この駆動では、所定の画像Ｉは表示されないことになる。
【００３３】
このように、本実施形態によれば、各画素が、バックライト３の光を透過して表示するサブ画素１０ａと、表示面から入射する光を反射して表示するサブ画素１０ｂとをそれぞれ有しており、表示領域９に所定の画像Ｉが反射表示されるように、各サブ画素１０ｂにそれぞれ所定の画像Ｉを構成する固有の表示パターンが形成されているので、反射表示を行う場合には当該画素を駆動しなくても、所定の画像Ｉを表示することができる。これにより、消費電力を低減することが可能となる。
【００３４】
また、本実施形態では、液晶層６の光透過率が、サブ画素１０ａとサブ画素１０ｂとで独立して制御可能になっているので、サブ画素１０ａによる透過表示とサブ画素１０ｂによる反射表示とを別々に駆動することが可能となる。これにより、上記のように例えばサブ画素１０ａによる透過表示モード、サブ画素１０ｂによる反射表示モード、サブ画素１０ａ及びサブ画素１０ｂによる透過表示と反射表示の組み合わせモードなど、多彩な表示が可能となる。
【００３５】
また、本実施形態では、バックライト３が点灯しているときにはサブ画素１０ｂが黒表示となるように、液晶層６の光透過率を制御する制御部（走査線駆動回路１２、データ線駆動回路１３）が設けられているので、バックライト３が点灯している透過表示の際にはサブ画素１０ｂが黒表示となるように表示することができる。これにより、サブ画素１０ｂによる所定の画像Ｉと透過表示による画像とが混合するのを防ぐことができるので、高い表示特性が実現可能となる。
【００３６】
また、本実施形態では、サブ画素１０ａに平面視で重なる領域に所定の材料からなるカラーフィルタ層５０が設けられていると共にサブ画素１０ｂに平面視で重なる領域にカラーフィルタ層５０と同一の材料からなる表示パターン層６０が設けられているので、例えばカラーフィルタ基板５の形成時にカラーフィルタ層５０と表示パターン層６０とを一工程で形成することができる。これにより、製造工程の短縮化を図ることができ、製造コストを抑えることができるので、安価な液晶表示装置１を得ることができる。
【００３７】
また、本実施形態では、各サブ画素１０が非駆動時において白表示となるように、液晶層６の光透過率が規制されている、いわゆるノーマリーホワイトモードになっているため、液晶表示装置１の電源オフ時にもサブ画素１０ｂによる所定の画像Ｉを表示させることができる。これにより、多彩な表示が可能となる。
【００３８】
また、本実施形態では、液晶層６のうちサブ画素１０ａの光透過率を制御する信号と、サブ画素１０ｂの光透過率を制御する信号とを、同一の信号とすることができる。つまり赤色層５０Ｒ、緑色層５０Ｇ、青色層５０Ｂの内のいずれかのサブ画素１０ａを制御する信号と同じ信号によってサブ画素１０ｂを駆動させることができる。このようにすればサブ画素１０ｂの駆動のための回路を簡素化することができ、その分消費電力を削減することができる。なお、このとき緑色層５０Ｇのサブ画素１０ａと同一の信号によってサブ画素１０ｂを駆動するとよい。緑色層５０Ｇは、他の赤色層５０Ｒ、青色層５０Ｂに比べ視感度が高いため、サブ画素１０ａがサブ画素１０ｂの駆動によって観察者へ与える視感への影響が一番少ないためである。
【００３９】
また、本実施形態では、サブ画素１０ｂが白表示及び黒表示の２種類の表示状態をとるように液晶層６の光透過率を制御する、いわゆる２値駆動にすることとしたので、駆動回路を簡素化することができ、その分消費電力を削減することができる。  
なお、本実施形態において一対の基板の一方をカラーフィルタ基板５としているが、ＴＦＴアレイ基板４にカラーフィルタ層５０が形成されていてもよい。例えば、光反射層４５や画素電極４８の上にカラーフィルタ層５０を形成する場合である。
【００４０】
［第２実施形態］  
次に、本発明の第２実施形態を説明する。本実施形態では、第１実施形態に記載の液晶表示装置１を備えた電子機器として、携帯電話の例を挙げて説明する。  
図９は、携帯電話３００の全体構成を示す正面図である。  
携帯電話３００は、模様が形成された筺体３０１、複数の操作ボタンが設けられた操作部３０２、画像や動画、文字等を表示する表示部３０３を主体として構成されている。表示部３０３には、上記実施形態に係る液晶表示装置１が搭載されている。
【００４１】
液晶表示装置１の電源オフの状態や、電源オン時においてバックライト３を消灯している状態では、液晶表示装置１の表示領域に所定の画像Ｉが表示されている。本実施形態では、この所定の画像Ｉと携帯電話３００の筐体３０１の模様とが一体的になっている。
【００４２】
本実施形態によれば、消費電力を低減することが可能な液晶表示装置１を搭載しているので、長時間使用可能な携帯電話３００を得ることができる。また、筐体３０１に形成された模様と表示部３０３に表示される画像とを組み合わせて一体的なデザインにするなど、多彩な表示が可能な液晶表示装置１を搭載しているので、デザイン性に優れた携帯電話３００を得ることができる。
【００４３】
なお、本発明の液晶表示装置は、上記携帯電話機に限らず、例えば、電子ブックや、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末などの電子機器の表示部としても用いても構わない。
【００４４】
本発明の技術範囲は上記実施形態に限定されるものではなく、本発明の趣旨を逸脱しない範囲で適宜変更を加えることができる。  
例えば、上記実施形態においては、光を全反射する光反射層の光反射率が一定であるとして説明したが、これに限られることは無く、例えばサブ画素１０ごとに光反射率が異なるように設計しても構わない。これにより、サブ画素１０の間で表示光の明るさ及びコントラストに差をつけることができるので、表現の幅が一層広がることになる。
【００４５】
また、上記実施形態においては、光を全反射する光反射層の厚さが一定であるとして説明したが、これに限られることは無く、例えばサブ画素１０ごとに厚さが異なるように設計しても構わない。これにより、サブ画素１０の間でセルギャップに差をつけることができる。セルギャップに差をつけることにより、表示光の明るさ及びコントラストに差をつけることができるので、表現の幅が一層広がることになる。
【００４６】
また、上記実施形態においては、液晶層の全領域がいわゆるノーマリーホワイトモードとなるように配向が規制されていたが、これに限られることは無い。例えば光反射層４５で全反射を行うサブ画素１０ｂの領域のみノーマリーホワイトモードとなるように、液晶層の配向を部分的に規制するようにしても構わない。
【図面の簡単な説明】
【００４７】
【図１】本発明の第１実施形態に係る液晶表示装置の構成を示す平面図。
【図２】本実施形態に係る液晶表示装置の構成を示す断面図。
【図３】本実施形態に係る液晶表示装置の一部の構成を示す平面図。
【図４】本実施形態に係る液晶表示装置の構成を示す平面図。
【図５】本実施形態に係る液晶表示装置の一部の構成を示す平面図。
【図６】本実施形態に係る液晶表示装置の一部の構成を示す平面図。
【図７】本実施形態に係る液晶表示装置の一部の構成を示す平面図。
【図８】本実施形態に係る液晶表示装置の一部の構成を示す平面図。
【図９】本発明の第２実施形態に係る携帯電話の構成を示す平面図。
【符号の説明】
【００４８】
Ｉ…画像  Ｊ…画像  Ｋ…画像  １…液晶表示装置  ２…液晶パネル  ３…バックライト  ４…ＴＦＴアレイ基板  ５…カラーフィルタ基板  ６…液晶層  ９…表示領域  １０…サブ画素  １０ａ…サブ画素  １０ｂ…サブ画素  １２…走査線駆動回路  １３…データ線駆動回路  ４５…光反射層  ４７…スイッチング素子  ４８…画素電極  ５０…カラーフィルタ層  ６０…表示パターン層  ６０Ｒ…赤色部分  ６０Ｇ…緑色部分  ６０Ｂ…青色部分  ６０Ｗ…白色部分  ３００…携帯電話  ３０１…筐体  ３０３…表示部
【図１】
2008180929.tif 000003
【図２】
2008180929.tif 000004
【図３】
2008180929.tif 000005
【図４】
2008180929.tif 000006
【図５】
2008180929.tif 000007
【図６】
2008180929.tif 000008
【図７】
2008180929.tif 000009
【図８】
2008180929.tif 000010
【図９】
2008180929.tif 000011